(57)【要約】【課題】組み立て作業性向上を図ることができる撮像装置を提供する。【解決手段】撮像装置を構成する部材と所定の間隔（Ｄ）を空けて配置された基板（８００）があり、前記基板（８００）に接続される第一の接続部（９０６ａ）を備えた第一の接続部材（９０６）がある。第一の接続部材（９０６）は、第一の接続部（９０６ａ）とは異なる位置から延伸する少なくとも一つの延伸部（９０６ｂ、９０６ｃ）を備えている。延伸部（９０６ｂ、９０６ｃ）のうち少なくとも一つは、所定の間隔（Ｄ）を橋架する様に配置されている。第一の接続部材（９０６）の設けられた、第一の接続部（９０６ａ）が前記基板（８００）に接続された後に、前記基板（８００）に接続される第二の接続部（１５１ａ）を備えた第二の接続部材（１５１）がある。第二の接続部（１５１ａ）は、延伸部（９０６ｂ、９０６ｃ）上を通過しながら組み込まれる。【選択図】図１３
2015022007.tif 000002
【特許請求の範囲】
【請求項１】
撮像装置を構成する部材と所定の間隔（Ｄ）をあけて配置され、電子部品が実装された基板（８００）と、
前記基板（８００）に接続される第一の接続部（９０６ａ）を備えた第一の接続部材（９０６）と、
前記第一の接続部（９０６ａ）が前記基板（８００）に接続された後、前記基板（８００）に接続される第二の接続部（１５１ａ）を備えた第二の接続部材（１５１）
を備える撮像装置において、
前記第一の接続部材（９０６）は、前記基板（８００）に接続される前記第一の接続部（９０６ａ）とは異なる位置から延伸する、少なくとも一つの延伸部（９０６ｂ、９０６ｃ）を備え、前記延伸部（９０６ｂ、９０６ｃ）のうち少なくとも一つの前記延伸部（９０６ｂ）は、前記所定の間隔（Ｄ）を橋架する様に配置されており、前記第二の接続部材（１５１）に設けられた前記第二の接続部（１５１ａ）が、前記延伸部（９０６ｂ、９０６ｃ）上を通過して組み込まれる様に構成されたことを特徴とする撮像装置。
【発明の詳細な説明】
【技術分野】
【０００１】
本発明は、撮像装置の組立性向上に関するものである。
【背景技術】
【０００２】
近年、カメラの外装を構成する筐体において、前面を構成するフロントカバーと上面を構成するトップカバー同士の合わせ部を無くし外観品位を向上させる為、特許文献１の様な特徴的なデザインが要求されている。
【０００３】
特許文献１におけるカメラでは、フロントカバーユニットがカメラ前面を構成していると共に、上面を構成しているレリーズボタン、パワーボタン、モードダイヤル、ズームレバーなどを具備した上面操作系をも一体化した、滑らかな外観デザインになっている。
【０００４】
この様なカメラでは、フロントカバーに設けられた各上面操作系に対応するレリーズスイッチ、パワースイッチ、モードダイヤルの回動位置に対応したモード検出用のダイヤルパターン、ズームレバーの回動位置に対応したズーム切り替え用のパターンが実装された上面操作系フレキシブル配線基板もフロントカバーと一体的に取り付けられ、ユニット化されている。
【０００５】
そのため、操作系とそれら操作系に対応する上面操作系フレキシブル配線基板の実装面との位置精度を高く実現することができる。
【先行技術文献】
【特許文献】
【０００６】
【特許文献１】特開２０１０−４９００６号公報
【発明の概要】
【発明が解決しようとする課題】
【０００７】
しかしながら、特許文献１に示されているカメラでは、前方から組み込まれるフロントカバーに上面操作系フレキシブル配線基板が一体的に構成されているので、フロントカバーがカメラ本体に組み込まれた後、電子回路基板へ上面操作系フレキシブル配線基板を挿入する必要がある。
【０００８】
また、この様な構成の場合カメラ背面部に電子回路基板が設けられるのが一般的である。つまり、上面操作系フレキシブル配線基板は、フロントカバーが前方から組み込まれると同時に、カメラ本体を乗り越えながらカメラ本体の背面まで回り込まなければならなくなる。この時、特許文献１における電池室と電子回路基板の間に生じた隙間等の溝が上面操作系フレキシブル配線基板の通過経路にあると、上面操作系フレキシブル配線基板がその溝に入り込んでしまい、組み立て作業が非常に困難であった。
【０００９】
本発明はこのような事情に鑑みてなされたもので、本発明の目的は、撮像装置の組立性向上を提供することである。
【課題を解決するための手段】
【００１０】
上記目的を達成するため、本発明は以下の様に構成する。即ち、
撮像装置を構成する部材と所定の間隔（Ｄ）をあけて配置され、電子部品が実装された基板（８００）と、
前記基板（８００）に接続される第一の接続部（９０６ａ）を備えた第一の接続部材（９０６）と、
前記第一の接続部（９０６ａ）が前記基板（８００）に接続された後、前記基板（８００）に接続される第二の接続部（１５１ａ）を備えた第二の接続部材（１５１）
を備える撮像装置において、
前記第一の接続部材（９０６）は、前記基板（８００）に接続される前記第一の接続部（９０６ａ）とは異なる位置から延伸する、少なくとも一つの延伸部（９０６ｂ、９０６ｃ）を備え、前記延伸部（９０６ｂ、９０６ｃ）のうち少なくとも一つの前記延伸部（９０６ｂ）は、前記所定の間隔（Ｄ）を橋架する様に配置されており、前記第二の接続部材（１５１）に設けられた前記第二の接続部（１５１ａ）が、前記延伸部（９０６ｂ、９０６ｃ）上を通過して組み込まれる様に構成されたことを特徴とするものである。
【発明の効果】
【００１１】
本発明によれば、撮像装置の組立性を向上できる。
【図面の簡単な説明】
【００１２】
【図１】カメラ本体を前面側から見た外観斜視図である。
【図２】カメラ本体を背面側から見た外観斜視図である。
【図３】カメラ本体を前面側から見た分解斜視図である。
【図４】前カバーユニットの構成を示す分解斜視図である。
【図５】後カバーユニットの構成を示す分解斜視図である。
【図６】メインユニットを前面側から見た分解斜視図である。
【図７】メインユニットを背面側から見た分解斜視図である。
【図８】閃光発光装置ユニットを上面から見た図である。
【図９】閃光発光装置ユニット組み付け時メインユニットを背面側から見た斜視図である。
【図１０】閃光発光装置ユニット組み付け後メインユニットを上面から見た図である。
【図１１】前カバーユニット組み付け時カメラ本体を背面側から見た斜視図である。
【図１２】前カバーユニット組み付け時カメラ本体を上面から見た図である。
【図１３】前カバーユニット組み付け時カメラ本体を上面から見た図である。
【図１４】図１３の矢視Ａ−Ａ線に沿う構成を示す断面図である。
【発明を実施するための形態】
【００１３】
以下に、本発明の好ましい実施の形態を、添付の図面に基づいて詳細に説明する。
【実施例１】
【００１４】
図１、図２は本発明を搭載するカメラ本体１の、外観斜視図である。
【００１５】
図１において、１０１は前カバーであり、４００は撮影光学系レンズ、レンズバリア、ＣＣＤ等の光電変換素子、繰り出し機構、ズーム機構、シャッターなどを具備する鏡筒を備える鏡筒ユニットである。
【００１６】
１０２は電源ボタンであり、これを操作することで、カメラ本体１を起動状態や停止状態にすることができる。
【００１７】
１０３はシャッターボタンであり、２段階の押圧操作が可能である。シャッターボタン１０３を半押し状態にすると、撮影準備動作（測光動作や測距動作等）が開始され、シャッターボタン１０３を全押し操作すると、撮影動作（ＣＣＤ等の光電変換素子への露光）が開始される。
【００１８】
１０４は撮影光学系の焦点距離を変更するために操作されるズーム切り替えレバーであり、シャッターボタン１０３を取り囲む様に配置され、シャッターボタン１０３に対して回動可能となっている。ズーム切り替えレバー１０４を一方向に回動させると、撮影光学系の焦点距離をワイド方向に切り替えることができ、他方向に回動させると、撮影光学系の焦点距離をテレ方向に切り替えることが出来る。
【００１９】
１０５はモード設定ダイヤルであり、カメラ本体１に対して、回動可能に支持されている。回動位置に応じて静止画撮影、動画撮影、各種シーンモード等のモードが割り当てられており、モード設定ダイヤル１０５を回動させることにより、各モードに設定することができる。
【００２０】
９００は被写体に照射光を照射するためのポップアップ式の閃光発光装置ユニットである。
【００２１】
開閉操作つまみ９００ａを矢印Ａ方向に手動で回動させることで閃光発光部が現れ、夜間や暗所など光量が足りない撮影時に発光し、撮影を補助することができる。
【００２２】
１０６は補助光であり、暗所での撮影時に発光することでＡＦ動作を補助したり、セルフタイマー使用時に発光することで被写体への確認手段として用いられたり、更には赤目緩和を目的とした発光に使用される。
【００２３】
１０７と１０８は化粧リングおよび化粧プレートであり、前カバー１０１に貼着されることで外観意匠性を高めている。
【００２４】
１０９は撮像装置の誤落下防止用のリストストラップを通すための紐通し穴であり、カメラ本体１の両側に設けられている。
【００２５】
５０２は電池を収納する電池収容室の開口部と記録媒体を収納する記録媒体収納室の開口部を覆う電池蓋であり、カメラ本体１に対して回動可能に取り付けられている。
電池蓋５０２を図に示す状態から回動させると電池収容室および記録媒体収納室を開の状態とすることができ、この状態において、電池および記録媒体を出し入れすることが出来る。
【００２６】
図２において、２０１は後カバーであり、２０２は略無色透明で、裏面には枠状に目隠し印刷を施し、その目隠し印刷された部分にロの字状に両面テープを貼り付けた後、表示部を覆う様に後カバー２０１に接着固定されている液晶保護窓である。液晶保護窓２０２には、反射防止コート、表面を硬化させるハードコート、汚れを落とし易くするために防汚コート、静電気によるゴミの付着を抑制する帯電防止コートなどが施されることがある。
【００２７】
２０３は動画ボタンであり、これを操作することで、動画撮影の開始と終了の指示ができる。
【００２８】
動画撮影されていない時に動画ボタン２０３が押下されると動画撮影開始となり、動画撮影中に動画ボタン２０３が押下されると動画撮影終了となる。
【００２９】
２０４は再生ボタンであり、これを操作することで撮影モード／再生モードの切り替えを行うことができる。
【００３０】
２０５は露出調整ボタンであり、露出値の設定が可能となるモードに移行することができる。
【００３１】
２０６はディスプレイボタンであり、表示部に表示される情報の切り替えを行うことができる。
【００３２】
２０７はメニューボタンであり、これを操作することで各種設定値を変更するメニュー画面に切り替えることができる。
【００３３】
また、これらの各種設定は、十字ボタン２０８を用いて設定し、セットボタン２０９を押すことにより実行される。
【００３４】
２１０はジャックカバーであり、後述する、不図示のメイン配線基板に実装されたＵＳＢコネクタを保護している。ジャックカバー２１０は、比較的柔らかい樹脂により形成されており、そのヒンジ部は容易に折り曲げが可能なように構成されている。
【００３５】
次に、図３〜図７を参照して、本実施例に係る装置の内部構成を概略的に説明する。
【００３６】
図３に示す様に、カメラ本体１の筐体は、メインユニット１０００を挟むようにして組み付けられる前カバーユニット１００及び後カバーユニット２００の２つのカバーユニット構成となっている。
【００３７】
前カバーユニット１００は、カメラ本体１の正面側を覆う部材であり、後カバーユニット２００は、カメラ本体１の背面側を覆う部材である。
【００３８】
前カバーユニット１００は、図４に示す様に、前カバー１０１と上面操作系を構成する、前述した電源ボタン１０２、シャッターボタン１０３、ズーム切り替えレバー１０４、モード設定ダイヤル１０５と、上面操作系フレキシブルプリント配線基板１５１とトッププレート１５２で構成されている。
【００３９】
本実施の形態では、前カバー１０１は樹脂部材（例えばＰＣ（ポリカーボネート））により形成されている。尚、前カバー１０１の強度の向上のために、前カバー１０１をガラス繊維などの強化材料を含有した樹脂部材により形成してもよい。
【００４０】
上面操作系フレキシブルプリント配線基板１５１には、電源スイッチ、シャッタースイッチ、ズーム切り替えレバーの回動位置に対応したズーム切り替え用のパターン、モード設定ダイヤルの回動位置に対応したモード検出用のダイヤルパターン等が実装されている。
【００４１】
上面操作系フレキシブルプリント配線基板１５１は一端に設けられた接続部１５１ａを、後述するメイン配線基板８００上に実装されたコネクタ８４０に挿入することで電気的に接続される。
【００４２】
また、トッププレート１５２は、上面操作系フレキシブルプリント配線基板１５１に対し両面テープにより接着されており、上面操作系フレキシブルプリント配線基板１５１の強度補助の目的で設置されている。
【００４３】
そして、トッププレート１５２は上面操作系フレキシブルプリント配線基板１５１と共に、前カバー１０１にビスにより締結されている。
【００４４】
後カバーユニット２００は、図５に示す様に、大きな矩形状の穴２１１が設けられた後カバー２０１と、背面操作系を構成する前述した動画ボタン２０３、再生ボタン２０４、露出調整ボタン２０５、ディスプレイボタン２０６、メニューボタン２０７と液晶保護窓２０２と緩衝部材２１２で構成されている。
【００４５】
本実施の形態では、後カバー２０１は樹脂部材（例えばＰＣ（ポリカーボネート））により形成されている。尚、後カバー２０１の強度の向上のために、後カバー２０１をガラス繊維などの強化材料を含有した樹脂部材により形成してもよい。
【００４６】
液晶保護窓２０２は前述したように略無色透明であり、裏面には枠状に目隠し印刷を施され、その目隠し印刷された部分にロの字状に両面テープを貼り付けた後、後カバー２０１の外側から矩形状の穴２１１を塞ぐように接着固定される。
【００４７】
本実施の形態では、液晶保護窓２０２は、その透明度と強度の面からＰＭＭＡ（アクリル）を使用している。また、液晶保護窓２０２には反射防止コート、表面を硬化させるハードコート、汚れを落とし易くするために防汚コート、静電気によるゴミの付着を抑制する帯電防止コートなどが施されることがある。
【００４８】
緩衝部材２１２は、後カバー２０１がメインユニット１０００に組み込まれると、後述する表示装置ユニット７００に圧縮されながら当接し、液晶保護窓２０２と表示装置ユニット７００との間へのゴミや埃などの進入防止や表示装置ユニットへの外力による衝撃を緩和する部材である。
【００４９】
緩衝部材２１２は、後カバー２０１に設けられた大きな矩形状の穴２１１の周縁部（側面）２１１ａの全周を囲むように両面テープにて貼り付けられる。
【００５０】
メインユニット１０００は、図６、図７に示す様に、シャーシ３００、鏡筒ユニット４００、電池室ユニット５００、背面操作系ユニット６００、表示装置ユニット７００、メイン配線基板８００、閃光発光装置ユニット９００から構成されている。
【００５１】
鏡筒ユニット４００は、撮影光学系レンズ、レンズバリア、ＣＣＤなどの光電変換素子、繰り出し機構、ズーム機構、シャッターなどを具備しており、鏡筒ユニット４００の内部に配置されている光学系により被写体像が撮像素子に結像される。
【００５２】
鏡筒ユニット４００はユニット背面に設けられた、位置決め用に設けられた凸部４００ａと４００ｂをシャーシ３００に形成された穴部３００ａと３００ｂに勘合させることで、シャーシ３００に対して位置決めされる。
【００５３】
電池室ユニット５００は、非導電体からなる樹脂部材からなる、電池室５０１と電池蓋５０２から構成されており、シャーシ３００とともにカメラ本体１の主構造体として構成される。
【００５４】
電池室５０１には、不図示の電池を収納する電池収納室の開口部と記録媒体を収納する記録媒体収納室の開口部が形成されている。
【００５５】
そのため、電池室５０１に挿抜される電池とのショートを防ぐ様、電池室５０１は非導電体からなる樹脂部材で構成されることが望ましい。
【００５６】
また、電池室５０１は、カメラ本体１を三脚や一脚等に固定保持するための三脚座も一体的に形成されている。
【００５７】
こうした観点から、本実施例では電池室５０１の材料としてＰＣ−Ｇ２０％（ポリカーボネート、ガラスフィラー２０％入）を使用している。剛性の必要度に応じて、ガラスフィラーの配合を変えたり、ＡＢＳ、ＰＣ−ＡＢＳなどのエンプラを使用しても良い。
【００５８】
電池蓋５０２は電池を収納する電池収納室の開口部と記録媒体を収納する記録媒体収納室の開口部を覆う様に取り付けられ、回転軸５０３を軸にして回動可能に取り付けられている。
【００５９】
なお、電池室ユニット５００は、位置決め用に設けられた凸部５００ａと５００ｂをシャーシ３００に形成された穴部３００ｃと３００ｄに勘合させることで、シャーシ３００に対して位置決めされる。
【００６０】
背面操作系ユニット６００は、金属から成るプレート６０１と、プレート上に両面テープで所定の位置に接着固定された背面操作系フレキシブルプリント配線基板６０２から構成されている。
【００６１】
背面操作系フレキシブルプリント配線基板６０２には、動画ボタン、再生ボタン、露出調整ボタン、ディスプレイボタン、メニューボタン、のボタン押下時に電気的動作させるタクトスイッチと、多機能操作デバイスが実装されている。
【００６２】
背面操作系ユニット６００は、位置決め用に設けられた穴部６００ａと６００ｂを、シャーシ３００に形成された凸部３００ｇと３００ｈに勘合させることで、シャーシ３００に対して位置決めされ、背面操作系フレキシブルプリント配線基板６０２は、後述するメイン配線基板８００上に実装されたコネクタ８１０に挿入されることで電気的に接続される。
【００６３】
表示装置ユニット７００は、２枚のガラスを構成部材とした表示パネル（表示部）と、導光板、反射シート、輝度アップシートおよびバックライトＬＥＤなどから成るバックライト部とから構成されており、これらは、表示パネルの周縁部を覆う金属製の表枠７０１と、背面部を覆う金属製の裏枠７０２により内包して挟み込む状態で一体化されている。
【００６４】
また、表示装置ユニット７００の短辺部の略中央部からは、フレキシブルプリント配線基板が延出しており、フレキシブルプリント配線基板は後述するメイン配線基板８００に設けられたコネクタ８２０に挿入され、電気的に接続される。
【００６５】
表示装置ユニット７００は、シャーシ３００の外周縁部に設けられた立ち壁部３１０、３２０、３３０、３４０に囲われた位置に配置され、組み付けの際は、立ち壁３１０と立ち壁３２０に当接させて、両面テープ３５０によりシャーシ３００に接着固定される。
【００６６】
立ち壁部３１０〜３４０は、各々の先端部が後カバー２０１の内壁部に当接すると共に、表示装置ユニット７００の厚みよりも若干高め（厚みと比較して高め）に形成されている。これにより、後カバー２０１に加わった外力を受ける柱の役割を果たすことにより、外力が表示装置ユニット７００ではなく、シャーシ３００に伝達されることとなる。
【００６７】
メイン配線基板８００は、ＣＰＵ、メモリ、画像処理ＬＳＩ、電源回路が実装されると共に、映像や音声を保存する外部メモリを収納するメモリカードスロットや、ＵＳＢコネクタが実装されている。
【００６８】
また、コネクタ８１０には、背面操作系フレキシブルプリント配線基板６０２が、コネクタ８２０には、表示装置ユニット７００が、コネクタ８３０には、後述するストロボ配線基板９０２を接続するフレキシブルプリント配線基板９０６が、コネクタ８４０には、上面操作系フレキシブルプリント配線基板１５１が接続される。
【００６９】
メイン配線基板８００は、位置決め用に設けられた穴部８００ａと８００ｂを、電池室５００に形成された凸部５００ｃと５００ｂに勘合させることで、電池室５００に対して位置決めされる。
【００７０】
閃光発光装置ユニット９００は大きく分けて、閃光発光部９０１とストロボ配線基板９０２に分けられる。
【００７１】
閃光発光部９０１は、ベース部材９０３に対して回動可能に軸支されており、内部は、発光管、反射笠、トリガーコイル、ストロボ発光窓等から構成されている。
【００７２】
ストロボ配線基板９０２は、閃光発光部９０１を発光させるための電子部品であるストロボ電気部品等のストロボ回路が実装されており、メインコンデンサ９０４がリード線で接続されている。
【００７３】
なお、閃光発光部９０１とストロボ配線基板９０２はリード線ユニット９０５によって接続され、一体化した閃光発光装置ユニット９００となっている。
【００７４】
また、ベース部材９０３の下部に位置決め用に設けられた不図示の凸部をシャーシ３００に形成された穴部３００ｅと３００ｆに嵌合させることで、シャーシ３００に対して位置決めされる。
【００７５】
また、閃光発光部９０１は、鏡筒ユニット４００の撮影レンズの撮影範囲を照射するため、光軸との位置関係を保つ必要がある。そのため、閃光発光部９０１は、鏡筒ユニット４００を取り付ける面と平行で光軸に垂直な面に位置決めして取り付けることが望ましい。
【００７６】
次に、図８を参照して、閃光発光装置ユニット９００について更に説明する。
【００７７】
図８は閃光発光装置ユニット９００を上面から見た図である。
【００７８】
図８において、９０１は閃光発光部、９０２はストロボ配線基板であり、これらは、リード線ユニット９０５により接続され、閃光発光部９０１とストロボ配線基板９０２が一体化されている。また、ストロボ配線基板９０２には、メインコンデンサ９０４がリード線により接続されており、フレキシブルプリント配線基板９０６が半田部９０７において半田付けで接続されている。
【００７９】
フレキシブルプリント配線基板９０６の一端には、接続部９０６ａが設けられており、メインユニット１０００に組み付けられた後、メイン配線基板８００上に実装されたコネクタ８３０（図７）に挿入されることで、閃光発光装置ユニット９００が電気的に接続される。
【００８０】
また、フレキシブルプリント配線基板９０６の接続部９０６ａと異なる位置には、接続部９０６ａの延伸方向と同じ方向に延伸する、延伸部９０６ｂが設けてある。
【００８１】
以上説明したように、メインユニット１０００はシャーシ３００、鏡筒ユニット４００、電池室ユニット５００、背面操作系ユニット６００、表示装置ユニット７００、メイン配線基板８００、閃光発光装置ユニット９００から構成されており、各ユニットが組み込まれた後、前カバーユニット１００、後カバーユニット２００の順に組み込まれることによってカメラ本体１が組み上がることになる。
【００８２】
次に、図９、図１０を参照して、メインユニット１０００の組み立てにおける、閃光発光装置ユニット９００の組み込み時を示す。
【００８３】
図９は、閃光発光装置ユニット組み込み時メインユニットを背面側から見た斜視図であり、図１０は、閃光発光装置ユニット組み込み後メインユニットを上面から見た図である。
【００８４】
図９において、閃光発光装置ユニット９００の組み込み時、シャーシ３００には、鏡筒ユニット４００と、電池室ユニット５００、メイン配線基板８００が組み込まれている。
【００８５】
ここで、閃光発光装置ユニット９００は、前述した様に、ベース部材９０３の下部に設けられた不図示の位置決め用凸部をシャーシ３００に形成された穴部３００ｅと３００ｆに嵌合させて、上部からシャーシ３００に組み込まれる。
【００８６】
一方、ストロボ配線基板９０２は位置決め用に設けられた穴部９０２ａと９０２ｂを、電池室５０１に設けられた凸部５００ｄと５００ｅに嵌合させて組み込まれる。
【００８７】
この時、ストロボ配線基板９０２と電池室５０１の背面に取り付けられたメイン配線基板８００は、各々の外形形状の公差バラつきによる部品同士の干渉や、干渉に伴うショートを防ぐため、図１０に示す様に、所定の隙間Ｄを空けて電池室５０１に位置決めされる。
【００８８】
また、メインコンデンサ９０４は、電池室５０１の前面に両面テープで接着固定される。
【００８９】
そして、閃光発光装置ユニット９００がメインユニット１０００に組み込まれると、ストロボ配線基板９０２上のフレキシブルプリント配線基板９０６に設けられた接続部９０６ａは、前述した様に、メイン配線基板８００に設けられたコネクタ８３０に接続される。
【００９０】
この時、フレキシブルプリント配線基板９０６に設けられた延伸部９０６ｂは、図１０に示す様に、メインユニット１０００の背面方向に延伸し、メイン配線基板８００とストロボ配線基板９０２によって生じた所定の隙間Ｄを橋架するように配置される。
【００９１】
閃光発光装置ユニット９００が組み付けられた後は、表示装置ユニット７００、背面操作系ユニット６００がメインユニット１０００に組み付けられ、順に前カバーユニット１００がメインユニット１０００に組み込まれる。
【００９２】
次に、図１１を参照して、前カバーユニット１００のメインユニット１０００への組み込み時を示す。
【００９３】
図１１に示す様に、前カバーユニット１００は、前カバー１０１に設けられた開口部１１０に鏡筒ユニット４００を貫通させながら、前方からメインユニット１０００に組み込まれる。
【００９４】
従って、前カバー１０１に取り付けられた上面操作系フレキシブルプリント配線基板１５１の一端に設けられた接続部１５１ａは、メインユニット１０００の上部を通過しながら組み込まれ、メインユニット１０００の背面に回り込んだ所で、メイン配線基板８００上に実装されたコネクタ８４０に挿入される。
【００９５】
即ち、前カバー１０１に取り付けられた上面操作系フレキシブルプリント配線基板１５１の一端に設けられた接続部１５１ａは、電池室ユニット５００の上部に配置されているストロボ配線基板９０２に設けられているフレキシブルプリント配線基板９０６上を通過しながら組み込まれることになる。
【００９６】
ここで、前カバーユニット１００の組み込み時の前カバー１０１に取り付けられた上面操作系フレキシブルプリント配線基板１５１の一端に設けられた接続部１５１ａの組み込み経路に着目する。
【００９７】
図１２は、前カバーユニット１００がメインユニット１０００に組み込まれる時を上面から見た図である。
【００９８】
図１２に示す様に、前カバーユニット１００がメインユニット１０００に組み込まれる時、ストロボ配線基板９０２上のフレキシブルプリント配線基板９０６に設けられた延伸部９０６ｂは、メイン配線基板８００とストロボ配線基板９０２によって生じた所定の隙間Ｄを橋架する状態で配置されている。
【００９９】
この状態において、前カバー１０１に取り付けられた上面操作系フレキシブルプリント配線基板１５１の一端に設けられた接続部１５１ａは、メインユニット１０００の前方から組み込まれ、破線矢印に沿って略直進しながらメインユニット１０００の背面まで到達し、メイン配線基板８００に設けられたコネクタ８４０に挿入される。
【０１００】
この時、ストロボ配線基板９０２上のフレキシブルプリント配線基板９０６に設けられた延伸部９０６ｂは、所定隙間Ｄを橋架する様に配置され、かつ、前カバー１０１に取り付けられた上面操作系フレキシブルプリント配線基板１５１の一端に設けられた接続部１５１ａの通過経路（破線矢印）上に位置するように配置されている。
【０１０１】
この様に構成することで、前カバーユニット１００の組み込み過程にて、上面操作系フレキシブルプリント配線基板１５１の一端に設けられた接続部１５１ａを、所定隙間Ｄに入り込むことなく、メインユニット１０００の背面まで到達させることができる。
【０１０２】
また、図１３に示す様に、ストロボ配線基板９０２上のフレキシブルプリント配線基板９０６に設けられた延伸部９０６ｂの延伸方向とは反対に位置する様に、更に、延伸部９０６ｃを配置しても良い。ここで、延伸部９０６ｃは図１４に示す様に、メインユニット１０００の下部に向かって折り曲げられている事が好ましい。
【０１０３】
この様にすると、前カバー１０１に取り付けられた上面操作系フレキシブルプリント配線基板１５１の一端に設けられた接続部１５１ａが、メインユニット１０００の上部を通過し始める時の誘い込みとなり、上面操作系フレキシブルプリント配線基板１５１の一端に設けられた接続部１５１ａの、メインユニット１０００の上部を通過してメインユニット１０００の背面に回り込むまでの一連の過程をより一層スムースに行うことができる。
【０１０４】
以上説明したように構成することで、上面操作系フレキシブルプリント配線基板１５１が前カバー１０１に一体的に構成された場合であっても、上面操作系フレキシブルプリント配線基板１５１の一端に設けられた接続部１５１ａの組み立て性を向上することができる。
【０１０５】
本発明は、上述した実施の形態に限定されるものでは無く、本発明の要旨を逸脱しない範囲で、その他種々の構成を採り得ることは勿論である。
【符号の説明】
【０１０６】
１００  前カバーユニット
１５１  上面操作系フレキシブルプリント配線基板
１５１ａ  接続部
８００  メイン配線基板
９００  閃光発光装置ユニット
９０２  ストロボ配線基板
９０６  フレキシブルプリント配線基板
９０６ａ  接続部
９０６ｂ  延伸部
９０６ｃ  延伸部
Ｄ  所定の隙間
１０００  メインユニット
【図１】
2015022007.tif 000003
【図２】
2015022007.tif 000004
【図３】
2015022007.tif 000005
【図４】
2015022007.tif 000006
【図５】
2015022007.tif 000007
【図６】
2015022007.tif 000008
【図７】
2015022007.tif 000009
【図８】
2015022007.tif 000010
【図９】
2015022007.tif 000011
【図１０】
2015022007.tif 000012
【図１１】
2015022007.tif 000013
【図１２】
2015022007.tif 000014
【図１３】
2015022007.tif 000015
【図１４】
2015022007.tif 000016